(57)【要約】      （修正有）【課題】インターネットを用いて、いつでもどこでも型紙を必要とする製品の型紙の入手が容易になり、新規の型紙の依頼もいつでもどこでも対応することができる手段を提供する。【解決手段】顧客（Ｍ１，Ｍ２，Ｍ３）が、そのＵＲＬ情報に基づき、夫々の端末（Ｔ１０，Ｔ２０，Ｔ３０）からＷＥＢサイト１０にアクセスし、資料請求フォーム２０を、画面上に呼び出し、資料請求フォーム２０にパスワードを入力することで、希望プラン２１、住所２２、氏名２３、電話番号２４、生年月日２５、メールアドレス２６、などのデータや情報が記載された入力済契約・申込フォーマット１１が夫々の端末へダウンロードされ、顧客（Ｍ１，Ｍ２，Ｍ３）が入力済契約・申込フォーマット１１をプリンター（Ｐ１０，Ｐ２０，Ｐ３０）によってプリントアウトし、記名、押印し、事業所に郵送し手続きが終了する。【選択図】図１
2007035000.tif 000002
【特許請求の範囲】
【請求項１】
型紙を必要とする製品の製作に必要な型紙を要望する者に対して型紙を販売または提供する業者が前記型紙要望者または前記業者の顧客に型紙または型紙データまたは型紙情報を販売する方法であり、前記業者は前記型紙データまたは前記型紙情報を蓄積する型紙データベースをＷＥＢサーバーに設け、前記業者がＷＥＢサーバーに接続または格納されたＷＥＢサイトを介して前記型紙データまたは前記型紙情報を必要とする前記型紙要望者または前記顧客の操作可能なインターネット接続情報端末または情報出力手段に送信し、前記型紙要望者または前記顧客が前記情報端末に接続された印刷装置または前記情報出力手段を介して所定寸法のシート体に表示させたときに前記業者が前記型紙要望者または前記顧客に対して送信した前記型紙データまたは前記型紙情報の対価を請求する手続きを実行する手段を設けたことを特徴とする、インターネット利用の型紙提供手段。
【請求項２】
前記対価請求手段が、前記業者のＷＥＢサイトを格納するＷＥＢサーバーには前記製品の製作に必要なデータや情報を格納した型紙データベースまたは型紙コンテンツを設け、また型紙検索手段を設けたことで、前記型紙要望者または前記顧客が前記情報端末に接続された印刷装置または前記情報出力手段を介してアクセスした前記ＷＥＢサイトに設けてある型紙請求フォームに所定のデータや情報を入力し、入力した後に前記フォームを送信することで前記ＷＥＢサーバーに設けられた顧客管理手段のデータベースに記録された後に、前記型紙要望者または前記顧客が所望する前記型紙データまたは前記型紙情報の表示フォームが示され、前記型紙要望者または前記顧客が前記型紙データまたは前記型紙情報を確認した後に前記表示フォームに設けた購入指示手段を実行することでＷＥＢサーバーに設けてある対価請求フォームを前記情報端末または前記情報出力手段に送信し、前記型紙要望者または前記顧客が対価請求フォームに必要事項を入力し送信実行することを特徴とする、請求項１に記載のインターネット利用の型紙提供手段。
【請求項３】
型紙を必要とする製品の製作に必要な型紙を要望する者に対して型紙を販売または提供する業者が前記型紙要望者または前記業者の顧客に型紙または型紙データまたは型紙情報を販売する方法であり、前記業者は前記型紙要望者または前記顧客から依頼され作成した型紙データまたは型紙情報を蓄積するオーダー型紙データベースをＷＥＢサーバーに設け、また前記業者は前記型紙データまたは前記型紙情報の作成受付フォームをＷＥＢサーバーに設け、前記型紙要望者または前記顧客の閲覧または操作可能なインターネット接続情報端末または情報出力手段に表示させた前記型紙作成受付フォームに所定のデータや情報を入力することで前記業者は所定のデータや情報に基づいて前記型紙要望者または前記顧客が所望する型紙を前記ＷＥＢサーバーに接続したＣＡＤ装置または（及び）ＣＧ装置を用いて作成し、前記作成型紙データまたは前記作成型紙情報を前記業者が前記型紙要望者または前記顧客の前記情報端末または前記情報出力手段に送信し、前記型紙要望者または前記顧客が前記情報端末に接続された印刷装置または前記情報出力手段を介して所定寸法のシート体に表示させたときに前記業者が前記型紙要望者または前記顧客からの依頼に対して作成した前記型紙データまたは前記型紙情報の対価を請求する手続きを実行する手段を設けたことを特徴とする、インターネット利用の型紙提供手段。
【請求項４】
前記対価請求手段が、前記業者のＷＥＢサイトを格納するＷＥＢサーバーに設けたオーダー型紙データベースと前記ＣＡＤ装置または（及び）ＣＧ装置を接続したことで、前記型紙要望者または前記顧客が前記情報端末に接続された印刷装置または前記情報出力手段を介して前記ＷＥＢサイトへアクセスして前記ＷＥＢサイトに設けた前記型紙作成受付フォームに所定のデータや情報を入力し、入力した後に前記フォームを送信することで前記ＷＥＢサーバーに設けられた顧客管理手段のデータベースに記録された後に、前記型紙要望者または前記顧客が所望する前記型紙データまたは前記型紙情報の表示フォームが示され、前記型紙要望者または前記顧客が前記型紙データまたは前記型紙情報を確認した後に前記表示フォームに設けた確認手段を実行することでＷＥＢサーバーに設けてある対価請求フォームを前記情報端末または前記情報出力手段に送信し、前記型紙要望者または前記顧客が対価請求フォームに必要事項を入力し送信実行することを特徴とする、請求項３に記載のインターネット利用の型紙提供手段。
【請求項５】
前記情報端末または前記印刷装置または前記情報出力手段が、定形または定型サイズの紙またはシート体が使用して、使用する場合には所定の割合で拡大して用いるようになっていることを特徴とする、請求項１または請求項３に記載のインターネット利用の型紙提供手段。
【請求項６】
前記ＷＥＢサーバーには、前記型紙要望者または前記顧客が所望する型紙を選択することで、前記型紙データベースまたは型紙コンテンツのデータや情報を用いて前記型紙完成パターン画像または製作イメージ画像を表示する手段を設け、必要であれば前記画像に課金手段を設けたことを特徴とする、請求項１または請求項３に記載のインターネット利用の型紙提供手段。
【発明の詳細な説明】
【技術分野】
【０００１】  本発明は、型紙を必要とする製品の製作に必要な型紙を要望する者が、インターネットを利用して型紙を発注するための所定のフォームに所定のデータや情報を入力することで、型紙要望者に対して必要なときにいつでも前記型紙を迅速かつ容易に提供することができる型紙提供手段に関するものである。
【背景技術】
【０００２】  従来、型紙を必要とする製品としては、例えば、技芸（美術・工芸などの芸術に関する技術）や技工（手で加工する技術）や技能（物事を行う腕前）を要求される製品の場合が多く、例えば、洋裁や手芸、人形の製作、紙細工の組立て、衣服、衣料品、服飾品、靴、靴下、下着、ストッキング、看板、イラスト、プラスチックモデル、シール、ステッカー、パッケージ、封筒、印刷物、機械類や装置類の制御手段用、染色等の型染めに用いる絵柄を彫り抜いた紙、などの制作に必要とされる場合が多く、所要の布状や紙状や板状やシート状の表面に前記製品が形成されるよう製図した後に所定部位を切り抜いたり切込みをいれたり切り抜き線を設けたりミシン目を設けたりした布状製品、紙状製品、板状製品、シート状製品、であるが、単独の型紙製品としてだけでなく、雑誌やテキストや書籍やカタログなどの印刷物や前記製品の組立てや製作のための図面、前記製品の制御システムの図面、前記製品の製作手順書、前記製品の操作マニュアル、前記製品の運用、保守に用いる書類等に型紙データや情報が掲載されていたり、添付されていたりする場合が多い。【０００３】  また近年は、インターネットの普及により、前記製品の案内や紹介や設計シミュレーションなどをウェブ上で提供し、さらに購入希望者に対してのサービスは充実してきているが、自ら製作してみたいという顧客に対してのサービスは充分ではなかった。
【発明の開示】
【発明が解決しようとする課題】
【０００５】  そこで、型紙を必要とする製品の型紙を得ようとする者は、既製品の型紙を利用するか自分で型紙作成業者を探して依頼するしかなかった。
そのため、必要とする型紙を探したり、新たに型紙作成業者を探したり依頼するための時間や打ち合わせの時間などが相当必要になり、また型紙作成業者からの高額の請求額が適正であるかどうかの判断ができずにいたりして、型紙を必要とする製品の型紙を得ようとする者は、多大な負担を強いられていた。【０００６】  本発明は、上記の課題を解決するために成されたものであり、インターネットを用いて、いつでもどこでも型紙を必要とする製品の型紙の入手が容易になり、新規の型紙の依頼もいつでもどこでも対応することができ、顧客は、インターネット端末に接続されたプリンタや出力手段に所定寸法の用紙をセットするだけで、適合したサイズの型紙や、必要とする型紙を簡単な指定操作で迅速かつ簡単に得ることができる、インターネット利用の型紙提供手段を提供する。
【課題を解決するための手段】
【０００７】  課題を解決するための第一の手段として、型紙を必要とする製品の製作に必要な型紙を要望する者に対して型紙を販売または提供する業者が前記型紙要望者または前記業者の顧客に型紙または型紙データまたは型紙情報を販売する方法であり、前記業者は前記型紙データまたは前記型紙情報を蓄積する型紙データベースをＷＥＢサーバーに設け、前記業者がＷＥＢサーバーに接続または格納されたＷＥＢサイトを介して前記型紙データまたは前記型紙情報を必要とする前記型紙要望者または前記顧客の操作可能なインターネット接続情報端末または情報出力手段に送信し、前記型紙要望者または前記顧客が前記情報端末に接続された印刷装置または前記情報出力手段を介して所定寸法のシート体に表示させたときに前記業者が前記型紙要望者または前記顧客に対して送信した前記型紙データまたは前記型紙情報の対価を請求する手続きを実行する手段を設けたことを特徴とする、インターネット利用の型紙提供手段の提供を目的とする。【０００８】  前記型紙に関しては、所望する形成体または所要の形体の形成に必要な製図、製図面の一部または所望する部位を切り抜いた紙、製図面の一部または所望する部位に切り込みを設けた紙、製図面の一部または所望する部位に切り抜き線を表示した紙や紙体やシート体などを示す。
前記ＷＥＢサーバーに関しては、この場合のサーバーはコンピュータ等の一種の情報処理端末で構成されており、インターネットに接続され種々のサービス機能を有している。また、専用端末としてのサーバーコンピュータでもよいし、インターネットに接続されたコントロールサーバーでもよいし、一般的に市販されているパーソナルコンピュータも使用可能である。また、ＨＴＴＰサーバー等で構成することができ、ＨＴＭＬデータ等の表示情報をインターネットに配信することにより前記型紙要望者または前記顧客にサービスを提供するものであり、電子メールの送受信する機能をも備えており、データベース機能を備えており、前記資料請求者または前記顧客とのデータの送受信によって取得された顧客情報や契約情報を蓄積したり、データベース内の情報を入力や加工や出力することができる。これらの機能によって、前記型紙要望者または前記顧客に対して必要なときにいつでも前記型紙のデータや情報を所定の寸法で送信する機能も備える。
前記インターネット接続情報端末に関しては、通信ネットワークに接続されたパーソナルコンピュータ等の端末機器が最適であるが、携帯電話、ＰＨＳ、ＰＤＡ、電子手帳等のネットワークに接続された携帯情報端末でも、印刷機等への出力が可能であるならば構わない。また、「通信ネットワーク」とは、ＬＡＮ、ＷＡＮ、インターネット、イントラネット等の情報ネットワーク（コンピュータネットワーク）を意味する。また、インターネットは有線であっても無線であってもよく、デジタル通信が行えればよい。さらに、公衆回線を含む場合もある。【０００９】  また、前記情報出力手段に関しては、前記インターネット接続情報端末に有線または無線または光線または赤外線で接続可能であり、前記インターネット接続情報端末の画面表示手段（例えばディスプレイ装置）に表示されたデータを紙状またはシート体に印刷可能であれば、プリンター、コピー、ＦＡＸ、デジタル印刷機、またはこれらの複合機などから選択して用いればよい。また、例えば、コンビニエンスストアなどで導入が進んでいる複合式の情報機器やスタンド式のパソコン、インターネットカフェで設置されている情報機器などでも本発明の実施は可能である。
前記シート体に関しては、紙状の素材であれば、植物素材でも金属素材でもセラミック系でも合成樹脂系でも特に制限はない。
前記対価請求手段に関しては、前記ＷＥＢサイト上で表現が可能で、実行手続きが可能な手段であれば何を用いても構わない。【００１０】  課題を解決するための第二の手段として、前記対価請求手段が、前記業者のＷＥＢサイトを格納するＷＥＢサーバーには前記製品の製作に必要なデータや情報を格納した型紙データベースまたは型紙コンテンツを設け、また型紙検索手段を設けたことで、前記型紙要望者または前記顧客が前記情報端末に接続された印刷装置または前記情報出力手段を介してアクセスした前記ＷＥＢサイトに設けてある型紙請求フォームに所定のデータや情報を入力し、入力した後に前記フォームを送信することで前記ＷＥＢサーバーに設けられた顧客管理手段のデータベースに記録された後に、前記型紙要望者または前記顧客が所望する前記型紙データまたは前記型紙情報の表示フォームが示され、前記型紙要望者または前記顧客が前記型紙データまたは前記型紙情報を確認した後に前記表示フォームに設けた購入指示手段を実行することでＷＥＢサーバーに設けてある対価請求フォームを前記情報端末または前記情報出力手段に送信し、前記型紙要望者または前記顧客が対価請求フォームに必要事項を入力し送信実行することを特徴とする、課題を解決するための第一の手段に記載のインターネット利用の型紙提供手段の提供を目的とする。【００１１】  前記型紙請求フォームに関しては、希望する前記製品を作図するために必要な情報（寸法・材質・参照モデル図面・参照モデル写真・参照サンプル図面・参照サンプル写真・対象になる製品のデザイン・対象になる製品のデッサンなど）を入力する手段や前記情報を添付する手段とこれらの記録手段を備える。
前記顧客管理手段に関しては、前記サーバが、顧客番号を付与する顧客番号付与手段と、顧客に関する個人情報（希望プラン・住所・氏名・ＴＥＬ・生年月日・メールアドレスなど）を記憶する顧客データベースと、前記情報端末に前記対価請求フォームを送信する手段とを有する。また、前記顧客管理手段に関しては、一般的に知られたシステムや市販されているシステムの使用が可能である。さらに、前記顧客管理手段には個人情報が漏れないような手段の設置が必要である。
前記表示フォームに関しては、静止画でも動画でも表示可能であり、単色表示でも多色表示でもよい。また、二次元表示でも三次元表示でもよい。
前記対価請求フォームに関しては、顧客の個人情報（希望プラン・住所・氏名・ＴＥＬ・生年月日・メールアドレス・クレジットカード情報）などから選択した情報を入力しが記録される機能を備える。
本発明で用いる各種フォーム関連のフォーマットに関しては、画面作成手段を用いて作成されるが「画面作成手段」とは、Ｗｅｂ上で顧客に閲覧させるコンテンツを作成する手段であり、オペレータ等によってｈｔｍｌ等の言語で書かれた表示用の画面を作成する。【００１２】  課題を解決するための第三の手段として、型紙を必要とする製品の製作に必要な型紙を要望する者に対して型紙を販売または提供する業者が前記型紙要望者または前記業者の顧客に型紙または型紙データまたは型紙情報を販売する方法であり、前記業者は前記型紙要望者または前記顧客から依頼され作成した型紙データまたは型紙情報を蓄積するオーダー型紙データベースをＷＥＢサーバーに設け、また前記業者は前記型紙データまたは前記型紙情報の作成受付フォームをＷＥＢサーバーに設け、前記型紙要望者または前記顧客の閲覧または操作可能なインターネット接続情報端末または情報出力手段に表示させた前記型紙作成受付フォームに所定のデータや情報を入力することで前記業者は所定のデータや情報に基づいて前記型紙要望者または前記顧客が所望する型紙を前記ＷＥＢサーバーに接続したＣＡＤ装置または（及び）ＣＧ装置を用いて作成し、前記作成型紙データまたは前記作成型紙情報を前記業者が前記型紙要望者または前記顧客の前記情報端末または前記情報出力手段に送信し、前記型紙要望者または前記顧客が前記情報端末に接続された印刷装置または前記情報出力手段を介して所定寸法のシート体に表示させたときに前記業者が前記型紙要望者または前記顧客からの依頼に対して作成した前記型紙データまたは前記型紙情報の対価を請求する手続きを実行する手段を設けたことを特徴とする、インターネット利用の型紙提供手段の提供を目的とする。【００１３】  前記型紙作成受付フォームに関しては、希望する前記製品の型紙を製作するために必要な情報（寸法・材質・参照モデル図面・参照モデル写真・参照サンプル図面・参照サンプル写真・対象になる製品のデザイン・対象になる製品のデッサンなど）を入力する手段や前記情報を添付する手段とこれらの記録手段を備える。
前記ＣＡＤ装置または（及び）ＣＧ装置に関しては、前記ＣＡＤ装置は一般的に市販されているタイプの使用で充分であり、前記ＣＧ装置は一般的に市販されているタイプの使用で充分である。
前記型紙に関しては、所望する形成体または所要の形体の形成に必要な製図、製図面の一部または所望する部位を切り抜いた紙、製図面の一部または所望する部位に切り込みを設けた紙、製図面の一部または所望する部位に切り抜き線を表示した紙や紙体やシート体などを示す。【００１４】  前記ＷＥＢサーバーに関しては、この場合のサーバーはコンピュータ等の一種の情報処理端末で構成されており、インターネットに接続され種々のサービス機能を有している。また、専用端末としてのサーバーコンピュータでもよいし、インターネットに接続されたコントロールサーバーでもよいし、一般的に市販されているパーソナルコンピュータも使用可能である。また、ＨＴＴＰサーバー等で構成することができ、ＨＴＭＬデータ等の表示情報をインターネットに配信することにより前記型紙要望者または前記顧客にサービスを提供するものであり、電子メールの送受信する機能をも備えており、データベース機能を備えており、前記資料請求者または前記顧客とのデータの送受信によって取得された顧客情報や契約情報を蓄積したり、データベース内の情報を入力や加工や出力することができる。これらの機能によって、前記型紙要望者または前記顧客に対して必要なときにいつでも前記型紙のデータや情報を所定の寸法で送信する機能も備える。
前記インターネット接続情報端末に関しては、通信ネットワークに接続されたパーソナルコンピュータ等の端末機器が最適であるが、携帯電話、ＰＨＳ、ＰＤＡ、電子手帳等のネットワークに接続された携帯情報端末でも、印刷機等への出力が可能であるならば構わない。また、「通信ネットワーク」とは、ＬＡＮ、ＷＡＮ、インターネット、イントラネット等の情報ネットワーク（コンピュータネットワーク）を意味する。また、インターネットは有線であっても無線であってもよく、デジタル通信が行えればよい。さらに、公衆回線を含む場合もある。【００１５】  課題を解決するための第四の手段として、前記対価請求手段が、前記業者のＷＥＢサイトを格納するＷＥＢサーバーに設けたオーダー型紙データベースと前記ＣＡＤ装置または（及び）ＣＧ装置を接続したことで、前記型紙要望者または前記顧客が前記情報端末に接続された印刷装置または前記情報出力手段を介して前記ＷＥＢサイトへアクセスして前記ＷＥＢサイトに設けた前記型紙作成受付フォームに所定のデータや情報を入力し、入力した後に前記フォームを送信することで前記ＷＥＢサーバーに設けられた顧客管理手段のデータベースに記録された後に、前記型紙要望者または前記顧客が所望する前記型紙データまたは前記型紙情報の表示フォームが示され、前記型紙要望者または前記顧客が前記型紙データまたは前記型紙情報を確認した後に前記表示フォームに設けた確認手段を実行することでＷＥＢサーバーに設けてある対価請求フォームを前記情報端末または前記情報出力手段に送信し、前記型紙要望者または前記顧客が対価請求フォームに必要事項を入力し送信実行することを特徴とする、課題を解決するための第三の手段に記載のインターネット利用の型紙提供手段の提供を目的とする。【００１６】  前記型紙作成受付フォームに関しては、希望する前記製品を作図するために必要な情報（寸法・材質・参照モデル図面・参照モデル写真・参照サンプル図面・参照サンプル写真・対象になる製品のデザイン・対象になる製品のデッサンなど）を入力する手段や前記情報を添付する手段とこれらの記録手段を備える。
前記顧客管理手段に関しては、前記サーバが、顧客番号を付与する顧客番号付与手段と、顧客に関する個人情報（希望プラン・住所・氏名・ＴＥＬ・生年月日・メールアドレスなど）を記憶する顧客データベースと、前記情報端末に前記対価請求フォームを送信する手段とを有する。また、前記顧客管理手段に関しては、一般的に知られたシステムや市販されているシステムの使用が可能である。さらに、前記顧客管理手段には個人情報が漏れないような手段の設置が必要である。
前記表示フォームに関しては、静止画でも動画でも表示可能であり、単色表示でも多色表示でもよい。また、二次元表示でも三次元表示でもよい。
前記対価請求フォームに関しては、顧客の個人情報（希望プラン・住所・氏名・ＴＥＬ・生年月日・メールアドレス・クレジットカード情報）などから選択した情報を入力しが記録される機能を備える。
本発明で用いる各種フォーム関連のフォーマットに関しては、画面作成手段を用いて作成されるが「画面作成手段」とは、Ｗｅｂ上で顧客に閲覧させるコンテンツを作成する手段であり、オペレータ等によってｈｔｍｌ等の言語で書かれた表示用の画面を作成する。【００１７】  課題を解決するための第五の手段として、前記情報端末または前記印刷装置または前記情報出力手段が、定形または定型サイズの紙またはシート体が使用して、使用する場合には所定の割合で拡大して用いるようになっていることを特徴とする、課題を解決するための第一の手段または課題を解決するための第三の手段に記載のインターネット利用の型紙提供手段を目的とする。【００１８】  前記定形または定型サイズに関しては、普及が進んでいるＢ５、Ｂ４、Ｂ３、Ｂ２、Ｂ１、Ｂ０サイズの使用が可能である。
前記定形または定型サイズに関しては、普及が進んでいるＡ５、Ａ４、Ａ３、Ａ２、Ａ１、Ａ０サイズの使用が可能である。【００１９】  課題を解決するための第六の手段として、前記ＷＥＢサーバーには、前記型紙要望者または前記顧客が所望する型紙を選択することで、前記型紙データベースまたは型紙コンテンツのデータや情報を用いて前記型紙完成パターン画像または製作イメージ画像を表示する手段を設け、必要であれば前記画像に課金手段を設けたことを特徴とする、課題を解決するための第一の手段または課題を解決するための第三の手段に記載のインターネット利用の型紙提供手段の提供を目的とする。【００２０】  前記型紙完成パターン画像の作成に関しては、一般的に知られたシステムや市販されているシステムの使用が可能である。
前記製作イメージ画像の作成に関しては、一般的に知られたシステムや市販されているシステムの使用が可能である。
【発明の効果】
【００３０】  本発明を採用した業者は、顧客がインターネットを用いて、いつでもどこでも型紙を必要とする製品の型紙の入手が容易になることで、顧客の満足度が向上したり、顧客のリピート率が向上することで、型紙の販売が増大し、本発明を採用した業者のビジネスに貢献する。【００３１】  また、本発明により、例えば、顧客が選択したり発注した型紙による製品のイメージを確認できるとともに、もし、希望のイメージが得られない場合は、データや情報を修正して再度、入力することにより、所望の製品の型紙を容易に取得することができる。【００３２】  また、本発明により、新規の型紙の依頼もいつでもどこでも対応することができるので、顧客は、インターネット端末に接続されたプリンタや出力手段に所定寸法の用紙をセットするだけで、所望する型紙を得ることができる。【００３３】  また、本発明によれば、例えば、ＣＡＤ画像または（及び）ＣＧ画像を用いて個人体型に適した衣服の型紙を作成するので、顧客の体型を入力することで、顧客の体型に適合した衣服の型紙を迅速かつ容易に提供することができる。
また、所望する型紙を選択することで、前記型紙に合わせた衣服のイメージを表示することができるので、衣服作成の迅速化、低価格化に寄与する。【００３４】  また、本発明では、インターネット接続された端末及びプリンターがある場所ならいつでもどこでも型紙データベースからの型紙データや型紙情報を容易に閲覧し出力することが可能になり、データや情報などのコンテンツが有効利用が促進される結果、有望なコンテンツビジネスになる可能性がある。【００３５】  本発明の各請求項に記載された発明によって、前記製品の製作に必要なデータを二次元画像や三次元画像としても出力が可能であり、また二次元画像を三次元画像にしたり各型紙の三次元画像を二次元画像に変換することも可能な実用性の高い正確な型紙を得ることができる。【００３６】  本発明によるサービスは２４時間対応が可能であり、業者の営業時間や顧客の都合に合わせることが可能な型紙ビジネスを提供することができる。【００３７】  また、本発明によるビジネスモデルはコンピュータシステムで型紙作成システムを構築するようにしたので、個人ユーザーでも簡単に前記製品の型紙が容易に得られ、商品開発型の企業を起そうという個人に対しての商品開発支援システムとして有効に活用することができる。【００３８】  型紙データを所有する業者が本発明を導入することで、従来保存してあった型紙データが商品になる可能性が生じ、売上の増大が可能になる。
【発明を実施するための最良の形態】
【００４０】  以下、本発明の実施の形態について、図１と図２に基づいて説明する。
図１は本発明の実施の形態例の全体構成を示すブロック図であり、図２は本発明の実施の形態例の全体構成を示すブロック図である。【００４１】  図１に示すとおり、ＩＮはインターネット網を示し、ＫＳは型紙を必要とする製品の製作に必要な型紙を要望する者に対して型紙を販売または提供する業者のコンピュータシステムを示し、１０は型紙販売業者ＫＳのＷＥＢサイトでありこの型紙の販売促進を目的に制作されたものである。ＷＳは型紙販売業者ＫＳに制御される社内または社外に設けたＷＥＢサーバーである。Ｍ１はインターネットに接続された固定端末を利用可能な顧客であり、Ｍ２はインターネットに接続された移動可能端末を利用可能な顧客であり、Ｍ３はインターネットに接続された情報端末を設置した施設での顧客である。Ｔ１０は顧客Ｍ１が利用可能な固定端末であり、Ｔ２０は顧客Ｍ２が利用可能な移動可能端末であり、Ｔ３０は顧客Ｍ３が利用可能な情報端末設置施設での情報端末であり、夫々インターネット網ＩＮに接続され、Ｐ１０は固定端末Ｔ１０に接続された画面データ出力手段であるプリンターであり、Ｐ２０は移動可能端末２０に接続された画面データ出力手段であるプリンターであり、Ｐ３０は情報端末Ｔ３０に接続された画面データ出力手段であるプリンターである。ＵＲＬはＷＥＢサイト１０のＵＲＬであり、２０は型紙請求フォームであり希望プラン２１、住所２２、氏名２３、電話番号２４、生年月日２５、メールアドレス２６、によって構成されている。３０は顧客管理手段であり、データベース３１、顧客番号発番手段３２、で構成される。１１はデータまたは情報を入力するための契約・申込フォーマットであり、Ｐ１１やＰ２１やＰ３１は、出力された型紙を示している。
【実施例１】
【００４２】  図１の実施例を説明する。ある日、事業所ＨＳ１から、例えば商品キャンペーンまたは新商品案内告知のために任意の顧客リスト、抽出した顧客リスト、新規の見込み客リストの中から、所望する人数の顧客へテレコールやダイレクトメール発信または発送状態ＤＭを実施した。そこで、ＵＲＬ情報を知得し、上記商品キャンペーンまたは新商品案内に興味を持った顧客Ｍ１、顧客Ｍ２、顧客Ｍ３が、そのＵＲＬ情報に基づき、顧客Ｍ１は第１端末Ｔ１０を介して、顧客Ｍ２は第２端末Ｔ２０を介して、顧客Ｍ３は第３端末Ｔ３０からＷＥＢサイト１０にアクセスすることにより、資料請求フォーム２０を、夫々のインターネット端末の画面上に呼び出し、希望プラン２１、住所２２、氏名２３、電話番号２４、生年月日２５、メールアドレス２６、を記入する欄に入力し、送信作業を実施した。受信されたデータや情報を入力された資料請求フォーム２０はＷＥＢサーバーＷＳに設けられた顧客管理手段３０のデータベース３１に記録された後に、顧客管理手段３０に設けられた資料請求者にパスワード発番手段３２により、第１端末Ｔ１０へはパスワード３２Ｍ１を、第２端末Ｔ２０へはパスワード３２Ｍ２を、第３端末Ｔ３０へはパスワード３２Ｍ３を送信する。夫々のパスワード（３２Ｍ１，３２Ｍ２，３２Ｍ３）を受信した顧客（Ｍ１，Ｍ２，Ｍ３）は、資料請求フォーム２０にパスワード（３２Ｍ１，３２Ｍ２，３２Ｍ３）を入力することで、希望プラン２１、住所２２、氏名２３、電話番号２４、生年月日２５、メールアドレス２６、などのデータや情報が記載された入力済契約・申込フォーマット１１ａが第１端末Ｔ１０、第２端末Ｔ２０、第３端末Ｔ３０へダウンロードされ、顧客（Ｍ１，Ｍ２，Ｍ３）が入力済契約・申込フォーマット１１ａをプリンター（Ｐ１０，Ｐ２０，Ｐ３０，）によって少なくとも１枚のＡ４用紙にプリントアウトし、入力済契約・申込フォーマット１１ａの所定の部位に記名、押印し、契約・申込フォーマット１１に予め設けてある封書化手段１２によって折る、切る、糊付けするという工程を矢印で示した封書化作業（Ｐ１１，Ｐ２１，Ｐ３１）によって封書化された契約・申込フォーマット（Ｐ１２，Ｐ２２，Ｐ３２）を事業所ＨＳ１に郵送（矢印で示す）し、事業所ＨＳ１で返信が確認され封書化契約・申込フォーマット（Ｐ１２，Ｐ２２，Ｐ３２）を開封し書面に不備が発見されなければ金融業者ＨＳの金融商品の契約または申込手続きが終了する。
【実施例２】
【００４３】  ここで、サービス提供サーバ２Ｂについて説明する。サービス提供サーバ２Ｂは、商品検索手段４０と、個人商品データベース（個人商品ＤＢ）４１と、商品データベース（商品ＤＢ）４２と、住居情報作成手段４３と、住居情報データベース（住居情報ＤＢ）４４と、住居情報検索・登録手段４５と、個人住居情報データベース（個人住居情報ＤＢ）４６と、画像処理手段４７を備えている。商品ＤＢ４２はあらゆるインテリア関連企業情報端末４Ｂからの各インテリア関連商品メーカの商品情報例えば照明器具の情報を保存するものである。個人商品ＤＢ４１は生活者情報端末３Ｂからインテリア関連商品の検索のための検索条件例えば洋室用、和室用かを入力したとき、商品ＤＢ４２から該検索条件に合った商品例えば照明器具を選定し、該選定した商品情報を保存するものである。住居情報作成手段４３は、一般的な住宅の間取りをイメージ情報として作成するものである。住居情報ＤＢ４４は住居情報作成手段４３で作成した一般的な住宅の間取りのイメージ情報を保存するものである。住居情報検索・登録手段４５は、生活者情報端末３Ｂから個人住居情報例えば住宅の間取り、窓の数、部屋の大きさ、壁の色等の情報が入力されると、住居情報ＤＢ４４に保存されている一般的な住宅の間取りのイメージ情報を検索して該個人住居情報をイメージ情報を作る。個人住居情報ＤＢ４６は住居情報検索・登録手段４５によって作られた個人住居情報（イメージ情報）を保存するものである。画像処理手段４７は、商品ＤＢ４２に保存されているイメージ情報４２ａと、個人商品ＤＢ４１のイメージ情報４１ａと、個人住居情報ＤＢ４６に保存されたイメージ情報４６ａとを合成して生活者模擬使用画像情報４７ａを得るものである。
【実施例３】
【００４４】  次に、このように構成されたシステムにおける動作について説明する。始めに、インテリア関連商品メーカの情報端末４Ｂからの各インテリア関連商品メーカの商品情報を商品ＤＢ４２に保存する（Ｓ４１）。生活者情報端末３Ｂからインテリア関連商品の検索のための検索条件が入力されたとき（Ｓ４２）、商品検索手段４０は商品ＤＢ４２から該検索条件に合った商品を選定し（Ｓ４３）、該選定した商品情報を個人商品ＤＢ４１に保存する（Ｓ４４）。
次に、住居情報作成手段４３は一般的な住宅の間取りをイメージ情報として作成し、これを住居情報ＤＢ４４に保存する（Ｓ４５）。生活者情報端末３Ｂから個人住居情報が入力されると（Ｓ４６）、住居情報検索・登録手段４５は、住居情報ＤＢ４４に保存されている一般的な住宅の間取りのイメージ情報を検索して該個人住居情報をイメージ情報を作り、これを個人住居情報ＤＢ４６に保存する（Ｓ４７）。
【産業上の利用可能性】
【００５０】  本発明によるインターネット利用の型紙提供手段は、型紙を必要とする製品の製作者に対する型紙を提供する支援システムという側面も備えている。
【図面の簡単な説明】
【００５１】
【図１】本発明の実施の形態例の全体構成を示すブロック図である。
【図２】本発明の実施の形態例の全体構成を示すブロック図である。
【符号の説明】
【００５２】ＩＮ    インターネット網
ＨＳ    型紙販売業者のコンピュータシステム
ＷＳ    ＷＥＢサーバー
Ｍ１，Ｍ２，Ｍ３    顧客
Ｔ１０    固定端末
Ｔ２０    移動可能端末
Ｔ３０    情報端末
Ｐ１０    プリンター
Ｐ２０    プリンター
Ｐ３０    プリンター
１０      ＷＥＢサイト
１１      契約・申込フォーマット
１２      封書化手段
２０      資料請求フォーム
２１      希望プラン
２２      住所
２３      氏名
２４      電話番号
２５      生年月日
２６      メールアドレス
３０      顧客管理手段
３１      データベース
３２      顧客番号発番手段
Ｐ１１，Ｐ２１，Ｐ３１    出力された型紙
【図１】
2007035000.tif 000003
【図２】
2007035000.tif 000004